(57)【要約】【課題】電柱に複数の接地線を設ける必要がある場合に、接地線等を電柱表面から突出させることなく、容易に接地を行うことを可能とする。【解決手段】外周面に接地線２０ｂを通す溝状の凹部１３を長手方向に形成したことを特徴とする。また、電柱１０の外周面に溝状の凹部１３を長手方向に形成し、前記電柱に設置される柱上物３２の接地線２０ｂを前記凹部内に設けることを特徴とする。接地線および接地線を防護する防護管等が電柱の凹部に納まるため、柱上作業者の作業の妨げとならない。また、電柱の柱上物の接地を容易に行うことができる。【選択図】        図１
2006296113.tif 000002
【特許請求の範囲】
【請求項１】
外周面に接地線を通す溝状の凹部を長手方向に形成したことを特徴とする電柱。
【請求項２】
前記凹部は、前記外周面側よりも、内部側で幅が広くなるように形成したことを特徴とする請求項１の電柱。
【請求項３】
前記凹部における側面の外周面側に突起部を形成したことを特徴とする請求項１の電柱。
【請求項４】
電柱の外周面に溝状の凹部を長手方向に形成し、前記電柱に設置される柱上物の接地線を前記凹部内に設けることを特徴とする接地方法。
【発明の詳細な説明】
【技術分野】
【０００１】
本発明は、電柱および、電柱に設置される柱上物の接地方法に関するものである。
【背景技術】
【０００２】
変圧器や遮断器などの柱上物を電柱に設置する際には、感電等を防ぐために電柱に接地線を取り付け、接地を施す必要がある。１本の電柱に複数の柱上物を設ける場合、複数の柱上物で接地線が共用できれば施工が容易にできるが、経済産業省の「電気設備の技術基準」に定められるように、複数の柱上物の接地線を共用できない場合がある。例えば、架空地線の接地が行われている電柱に変圧器を設ける場合、既存の架空地線の接地線は利用することができず、別途接地を行う必要がある。また、電力用の接地線と通信用の接地線も共用できず、これらは原則として同一の電柱に設けることはできない。やむを得ず同一電柱に設ける場合には、それぞれの接地極を１ｍ以上離して埋設し、一方の接地線を電柱の内部、他方を電柱の外部に設けることが行われている。
【０００３】
また、電柱の建柱の段階で、変圧器等の柱上物の施設が明らかに予想される場合には、中空となっている電柱の内部に接地線を通しておく。その後施設された柱上物に接地線を接続すれば、柱上物の接地を容易に行える。この場合には、図１１に示すように、電柱４０ａ上部に設けられた接地線挿通口４２から、接地線４１を電柱４０ａの内部へ引き入れる。電柱４０ａ上部に接地線４１を地中まで通し、電柱４０ａの埋設部分に設けられた接地線挿通口４２から接地線４１を引き出し、「電気設備の技術基準」に従って地下０．７５ｍ以下に埋設された接地極４３に接続する。その後、施設された柱上物に、接地線４１を接続する。なお、接地線４１の電柱４０ａの外部に出た部分は、一定間隔おきにファースンバンド４４で固定する。
【０００４】
しかしながら、同一の電柱に複数の柱上物が設けられ、これらの柱上物の接地を共用できない場合、電柱の内部に接地線を通すだけでなく、電柱の外部に接地線を設けて接地することになる。また、建柱後に柱上物を設け、この柱上物を接地する場合には、既に建柱されている電柱の内部に接地線を通すことが困難となるため、接地線を電柱の外側に設けて接地する。
【０００５】
接地線を電柱の外側に設ける場合には、図１２に示すように、電柱４０ｂの柱上物に接続される接地線４１を、電柱４０ｂの外側を沿わせて地中まで通し、地下０．７５ｍ以下に埋設された接地極４３に接続する。経済産業省の「電気設備の技術基準」に従い、地下０．７５ｍから地表上２ｍまでの部分を厚さ２ｍｍ以上の合成樹脂の防護管４４により防護する。合成樹脂の防護管４５はステンレスバンド４６により固定する。
【０００６】
他の接地法としては、鉄筋コンクリート電柱の鉄筋を接地線と電気的に接続するために、鉄筋と電気的に接続されたアース端子を電柱の表面に設ける方法がある（例えば特許文献１）。
【０００７】
【特許文献１】特開平１１−１２２７６７
【発明の開示】
【発明が解決しようとする課題】
【０００８】
接地線を電柱の外側に設ける場合には、図１２に示すように電柱表面から接地線、防護管およびステンレスバンドのバンド留め等が突出した状態になるため、電柱上に各種腕金を取り付ける等の作業を行う際にその妨げとなる場合がある。さらに、接地線等の突起部分が車道側に取り付けられている場合には、自動車等が電柱に衝突することによって、防護管やバンド留め等が破損する場合もある。
【０００９】
また、電柱内の鉄筋を利用して接地を行う方法では、鉄筋自体が接地極となっているため、接地を共用できないときには、接地線を外側に設けることになるため、上記の問題が生じる。
【００１０】
そこで、本発明では、電柱に複数の接地線を設ける必要がある場合に、接地線等を電柱表面から突出させることなく、容易に接地を行うことができる電柱および接地方法を提供する。
【課題を解決するための手段】
【００１１】
上記目的を達成するために、本発明の電柱は、外周面に接地線を通す溝状の凹部を長手方向に形成したことを特徴とする。
【００１２】
また、本発明の接地方法は、電柱の外周面に溝状の凹部を長手方向に形成し、前記電柱に設置される柱上物の接地線を前記凹部内に設けることを特徴とする。
【発明の効果】
【００１３】
本発明によれば、接地線および接地線を防護する防護管等が電柱の凹部に納まるため、柱上作業者の作業の妨げとならない。また、電柱の柱上物の接地を容易に行うことができる。
【発明を実施するための最良の形態】
【００１４】
以下、本発明の実施の形態について図を用いて説明する。図１は本発明の電柱を用いて柱上物の接地を行う場合を示している。電柱１０の上端には、架空地線３０が設けられており、架空地線３０は接地線２０ａを用いて接地されている。また、電柱１０には変圧器３２が設けられ、変圧器３２は接地線２０ｂを用いて接地されている。
【００１５】
図２は本発明の電柱の断面図であり、図２Ａが横断面図、図２Ｂが縦断面図である。電柱１０は、例えば中空円筒状で鉄筋コンクリート製とされている。
【００１６】
電柱１０で用いられている鉄筋は、縦鉄筋１２ａと横鉄筋１２ｂから構成される。縦鉄筋１２ａは周方向に等間隔で配設されており、横鉄筋１２ｂは縦鉄筋１２ａに対して横方向に等間隔で配設されて、円筒状の籠のように形成されている。電柱１０を製造する場合、このように形成した鉄筋を、型枠に嵌め込む。次に、型枠にコンクリート１１を流し込み、型枠を回転して遠心力を発生させることにより、コンクリート１１を型枠の内面に圧接させながら硬化させる。コンクリートの硬化後、蒸気を送り込んだ部屋に型枠を入れ、型枠を外し、上下端を塞ぐように蓋をすれば電柱１０が完成する。
【００１７】
電柱１０の外周面には、図１および図２に示すように、溝状の凹部１３を電柱１０の長手方向に形成する。凹部１３は接地線２０を通すためのものである。凹部１３の幅および深さは、接地線２０を防護管２１で防護する場合、防護管２１で接地線２０を防護した状態で格納できる大きさとする。凹部１３の長手方向の長さは、例えば接地線２０を防護管２１で防護する必要のある地下０．７５ｍから地表上２ｍまでの２．７５ｍとする。こうすることによって、接地線２０が防護管２１で覆われた部分を凹部１３内に納めることができる。
【００１８】
また、凹部１３の長手方向の長さをこれよりも長くした場合には、接地線２０の、防護管２１で防護されていない部分を格納できるので、柱上作業者が作業中に胴綱などで接地線２０を傷つけることを防止できる。
【００１９】
また、架空地線３０と変圧器３２の両方が設置された電柱１０では、架空地線３０を接地している接地線２０ａおよび接地極３１ａを、変圧器３２の低圧側の接地と共用することはできない。この場合には、図１に示すように、架空地線３０の接地を行うには電柱１０上部に設けられた接地線挿通口１４から、接地線２０ａを電柱１０の内部へ引き入れる。電柱１０上部に接地線２０ａを地中まで通し、電柱１０の埋設部分に設けられた接地線挿通口１４から接地線２０ａを引き出し、地下に埋設された接地極３１ａに接続する。また、変圧器３２の接地を行うには、接地線２０ｂは変圧器３２の接地極３３に接続し、凹部１３の上端の高さまで電柱１０の表面を沿わせる。接地線２０ｂを、凹部の上端から凹部１３内に納まるように設け、地中まで引き込み、地下に埋設された接地極３１ｂに接地線２０ｂを接続する。また、接地線２０ｂを防護する防護管２１については、凹部１３内に完全に納まるように設ける。このようにすれば、凹部１３の形成された部分については、接地線２０および防護管２１を、電柱１０から突出せずに設けることができる。
【００２０】
ところで、図２では、電柱１０に２つの凹部１３を、互いに電柱１０表面の反対位置となるように形成したが、凹部１３を２つよりも多く形成すれば、接地線２０の数が増えても容易に対応できる。また、電柱１０に凹部１３を複数形成すれば、接地線２０の格納位置の自由度を高めることができる。例えば接地線２０を通行人、車両が触れない側に設ける場合であっても、建柱時に電柱１０の向きを考慮しなくとも良く、作業を容易に行える。
【００２１】
また、図２で示す電柱１０は、凹部１３の幅が電柱１０の外周面側と内部側とで均一なものとしたが、凹部１３の形状はこれに限定されたものではない。図３、図４および図５は凹部の他の構成を示す図である。図３に示す電柱１０ａの凹部１３ａは、電柱１０ａの外周面側よりも内部側で幅が広くなるように形成されている。このようにすれば、凹部１３ａ内に設けられた接地線２０や防護管２１で防護されている接地線２０が、凹部１３ａの外に出にくい構造となる。
【００２２】
また、図４に示す電柱１０ｂのように、凹部１３ｂにおける側面の外周面側に突起部１５を形成してもよい。突起部１５は、例えば長手方向の一定間隔おきに複数個形成する。こうすることによって、突起部１５がストッパーの役割を果たし、接地線２０や防護管２１で防護されている接地線２０が凹部１３ｂから外に出にくい構造となる。
【００２３】
図５に示す電柱１０ｃの凹部１３ｃは、電柱１０ｃの外周面側よりも内部側で幅が狭くなるように形成されている。このようにすれば、接地線２０および防護管２１を凹部１３ｃ内に設けることが容易となる。
【００２４】
ただし、図２に示す電柱１０のように、凹部１３の幅が電柱１０の外周面側と内部側とで均一な場合や、図５に示す電柱１０ｃのように、凹部１３ｃの幅が電柱１０ｃの外周面側よりも内部側で幅が狭くなるように形成されている場合には、凹部１３内に接地線２０および防護管２１を設けた際に、接地線２０および防護管２１が凹部１３の外に出やすい。このため、接地線２０および防護管２１は凹部１３内に固定する必要がある。
【００２５】
接地線２０および防護管２１を凹部１３内に固定する場合、接地線２０を防護する防護管２１の一面に接着剤等を付けて、凹部１３内に設ければ、バンド留めなどの工事を行う必要がなく、接地線２０の固定を安価に行うことができる。また、図６に示すように、従来から用いられているステンレスバンド等のバンド部材２２を、電柱１０の外周を囲むよう設けることにより、接地線２０および防護管２１を固定してもよい。この構成では、電柱１０からバンド部材２２が突出しているが、従来行われている、電柱１０の外部に接地線２０を設ける方法に比べて、突出量を小さくできる。
【００２６】
ところで、接地線２０の防護は防護管２１で行っているが、防護管２１をケース等で覆うことによって２重構造にする方法や、カバー等を用いて凹部１３に蓋をするようにして接地線２０を防護することが可能である。
【００２７】
図７、図８、図９および図１０は凹部に設けられた接地線の防護方法を示す図である。図７に示すように、接地線２０および防護管２１を、四角柱形状のケース等の防護板２３により格納し、防護板２３の一面に接着剤等を付けて凹部１３に固定することで、接地線２０を敷設している。このようにすれば、接地線２０を２重に防護する構造となるため、防護がより強化される。
【００２８】
また、図８に示すように、防護板２３ａの両端に突起部２３ｂを設けてもよい。凹部１３ｂに突起部１４を形成した電柱１０ｂにおいて、接地線２０や防護管２１で防護されている接地線２０を防護板２３ａに格納すると、防護板２３ａの突起部２３ｂが、凹部１３ｂ内の突起部１４とひっかかるようになる。このようにすれば、接着剤等を用いなくても接地線２０を凹部１３ｂ内に固定でき、かつ、接地線２０を２重に防護する構造とすることができる。防護板２３ａは、両方の側面側から力を加えているときには縮まり、力を緩めたときに元の形状に戻るように弾性体等の部材で構成する。この場合、対向する突起部１４の間隔よりも、防護板２３ａを縮めた状態として、凹部１３ｂ内に挿入すれば、防護板２３ａは挿入後に元の形状に戻り、凹部１３ｂ内に防護板２３ａを固定できる。また、対向する突起部１４の間隔よりも防護板２３ａを縮めることができない場合には、例えば、凹部１３ｂの上端側に突起部１４が形成されていない領域を設け、ここから防護板２３を引き入れる。
【００２９】
更に、図９で示すように、電柱１０に扉２４を設けて、凹部１３を防護することも可能である。扉２４は、例えばヒンジ２４ａを凹部１３の周辺に固定し、ヒンジ２４ａを中心として扉２４を回転可能となるように構成する。接地線２０および防護管２１を凹部１３に設けた際に、扉２４により接地線２０および防護管２１を防護できることに加え、扉２４が開閉できるようにより、接地線２０および防護管２１のメインテナンス等を容易に行うことができる。
【００３０】
また、図１０で示すように、ゴムなどの弾性体で作られた蓋部材２５を、凹部１３に嵌め込むようにして、凹部１３に設けた接地線２０および防護管２１を防護することもできる。このようにすれば、蓋部材２５の取り付けが容易に行えるため、複雑な工事は必要なく、接地線２０の防護を安価に行うことができる。また、蓋部材２５の取り外しも容易なため、メインテナンス等を容易に行うことができる。蓋部材２５を取り付ける場合には、蓋部材２５の両端を人手で持って縮めた状態として、蓋部材２５を凹部１３内に入れてから手を離すと、蓋部材２５が元の状態に戻り、凹部１３内に固定される。
【産業上の利用可能性】
【００３１】
以上のように、本発明の電柱および接地方法は、電柱の外部に接地線を設ける必要がある場合に、接地線等を電柱から突出させることなく設けるために用いるのに有効である。
【図面の簡単な説明】
【００３２】
【図１】本発明の電柱を用いた接地の構成を示す図である。
【図２】本発明の電柱の断面図である。
【図３】凹部の他の構成を示す図である。
【図４】凹部の他の構成を示す図である。
【図５】凹部の他の構成を示す図である。
【図６】凹部に設けられた接地線の固定方法を示す図である。
【図７】凹部に設けられた接地線の防護方法を示す図である。
【図８】凹部に設けられた接地線の防護方法を示す図である。
【図９】凹部に設けられた接地線の防護方法を示す図である。
【図１０】凹部に設けられた接地線の防護方法を示す図である。
【図１１】接地線を電柱の内側に施設した状態を示した図である。
【図１２】接地線を電柱の外側に施設した状態を示した図である。
【符号の説明】
【００３３】
１０，１０ａ，１０ｂ，１０ｃ・・・電柱、１１・・・コンクリート、１２ａ・・・縦鉄筋、１２ｂ・・・横鉄筋、１３，１３ａ，１３ｂ，１３ｃ・・・凹部、１４・・・接地線挿通口、１５・・・突起部、２０，２０ａ，２０ｂ・・・接地線、２１・・・防護管、２２・・・バンド部材、２３，２３ａ・・・防護板、２３ｂ・・・突起部、２４・・・扉、２４ａ・・・ヒンジ、２５・・・蓋部材、３０・・・架空地線、３１，３１ａ，３１ｂ・・・接地極、３２・・・変圧器、３３・・・接地極、４０ａ，４０ｂ・・・電柱、４１・・・接地線、４２・・・接地線挿通口、４３・・・接地極、４４・・・ファースンバンド、４５・・・防護管、４６・・・ステンレスバンド
【図１】
2006296113.tif 000003
【図２】
2006296113.tif 000004
【図３】
2006296113.tif 000005
【図４】
2006296113.tif 000006
【図５】
2006296113.tif 000007
【図６】
2006296113.tif 000008
【図７】
2006296113.tif 000009
【図８】
2006296113.tif 000010
【図９】
2006296113.tif 000011
【図１０】
2006296113.tif 000012
【図１１】
2006296113.tif 000013
【図１２】
2006296113.tif 000014